(57)【要約】【課題】キャンペーン用として大きな宣伝、広告効果を挙げることができるマルチパック用表示材を提供すること。【解決手段】複数本の飲料缶からなる缶群の上下面と２つの長い方の側面とが包装材１で覆われるとともに、２つの短かい方の側面が包装材の２つの開口面からそれぞれ露出した状態となるように、天板、底板及び２つの側板を備えた包装材１を用いて缶群を巻回状態で包装してなり、２つの側板の開口面を形成している縁部にそれぞれ包装材１が内側に折り返されてなる折返し部を具備したマルチパックＰに取り付けるマルチパック用表示材であって、１枚の板紙からなり、マルチパックＰの開口面に対応するサイズの短板部１１とマルチパックＰの側板に対応するサイズの長板部１２とが連設し、短板部１１の端辺には挿入部分とその先の係止部分とが繋がって連設し、長板部１２の端辺には折曲げ部分が連設している。【選択図】図３
2006273356.tif 000002
【特許請求の範囲】
【請求項１】
複数本の飲料缶からなる缶群の上下面と２つの長い方の側面とが包装材で覆われるとともに、２つの短かい方の側面が包装材の２つの開口面からそれぞれ露出した状態となるように、天板、底板及び２つの側板を備えた包装材を用いて缶群を巻回状態で包装してなり、２つの側板の開口面を形成している縁部にそれぞれ包装材が内側に折り返されてなる折返し部を具備したマルチパックに取り付けるマルチパック用表示材であって、
１枚の板材からなり、マルチパックの開口面に対応するサイズの短板部とマルチパックの側板に対応するサイズの長板部とが連設し、短板部の端辺には挿入部分とその先の係止部分とが繋がって連設し、長板部の端辺には折曲げ部分が連設していることを特徴とするマルチパック用表示材。
【請求項２】
短板部と長板部の境界に、切取り可能なジッパー部を形成したことを特徴とする請求項１に記載のマルチパック用表示材。
【請求項３】
請求項１又は２に記載のマルチパック用表示材を側面に取り付けたマルチパックであって、
折り返した係止部分がマルチパックにおける折返し部の先端に引っ掛かり、短板部と長板部とがマルチパックにおける１つの開口面とそれに隣接する側板とにそれぞれ沿った後、折曲げ部分が先の折返し部の反対側にある折返し部の根元に引っ掛かった状態で、マルチパック用表示材がマルチパックの側面２面に渡って取り付けられたことを特徴とする表示材付きマルチパック。
【請求項４】
複数本の飲料缶からなる缶群の上下面と２つの長い方の側面とが包装材で覆われるとともに、２つの短かい方の側面が包装材の２つの開口面からそれぞれ露出した状態となるように、天板、底板及び２つの側板を備えた包装材を用いて缶群を巻回状態で包装してなり、２つの側板の開口面を形成している縁部にそれぞれ包装材が内側に折り返されてなる折返し部を具備したマルチパックに取り付けるマルチパック用表示材であって、
１枚の板材からなり、マルチパックの開口面に対応するサイズの短板部の両側にマルチパックの側板に対応するサイズの長板部がそれぞれ連設し、一方の長板部の端辺には挿入部分とその先の係止部分とが繋がって連設し、他方の長板部の端辺には折曲げ部分が連設していることを特徴とするマルチパック用表示材。
【請求項５】
短板部と長板部の境界のうちの少なくとも一箇所に、切取り可能なジッパー部を形成したことを特徴とする請求項３に記載のマルチパック用表示材。
【請求項６】
請求項４又は５に記載のマルチパック用表示材を側面に取り付けたマルチパックであって、
折り返した係止部分がマルチパックにおける折返し部の先端に引っ掛かり、一方の長板部と短板部と他方の長板部とがマルチパックにおける１つの側板とそれに隣接する開口面とさらにそれに隣接する側板とにそれぞれ沿った後、折曲げ部分が先の折返し部の対向側にある折返し部の根元に引っ掛かった状態でマルチパック用表示材がマルチパックの側面３面に渡って取り付けられたことを特徴とする表示材付きマルチパック。
【請求項７】
複数本の飲料缶からなる缶群の上下面と２つの長い方の側面とが包装材で覆われるとともに、２つの短かい方の側面が包装材の２つの開口面からそれぞれ露出した状態となるように、天板、底板及び２つの側板を備えた包装材を用いて缶群を巻回状態で包装してなり、２つの側板の開口面を形成している縁部にそれぞれ包装材が内側に折り返されてなる折返し部を具備したマルチパックに取り付けるマルチパック用表示材であって、
１枚の板材からなり、マルチパックの開口面に対応するサイズの第１の短板部とマルチパックの側板に対応するサイズの第１の長板部とが連設し、さらに第１の長板部にはマルチパックの開口面に対応するサイズの第２の短板部とマルチパックの側板に対応するサイズの第２の長板部とが順次連設し、第１の短板部の端辺には挿入部分とその先の係止部分とが繋がって連設し、第２の長板部の端辺には折曲げ部分が連設していることを特徴とするマルチパック用表示材。
【請求項８】
第１の短板部と第１の長板部の境界、第１の長板部と第２の短板部の境界、第２の短板部と第２の長板部の境界のうちの少なくとも１箇所に、切取り可能なジッパー部を形成したことを特徴とする請求項５に記載のマルチパック用表示材。
【請求項９】
請求項５又は６に記載のマルチパック用表示材を側面に取り付けたマルチパックであって、
折り返した係止部分がマルチパックにおける折返し部の先端に引っ掛かり、第１の短板部と第１の長板部と第２の短板部と第２の長板部とがマルチパックにおける１つの開口面とそれに順次隣接する側板、開口面、側板とにそれぞれ沿った後、折曲げ部分が先の折返し部と同じ折返し部の根元に引っ掛かった状態でマルチパック用表示材がマルチパックの側面４面に渡って取り付けられたことを特徴とする表示材付きマルチパック。
【発明の詳細な説明】
【技術分野】
【０００１】
本発明は、アルコール飲料や清涼飲料水などが入った飲料缶を複数本まとめて包装した形態のマルチパックの技術分野に属し、詳しくは、このマルチパックに取り付けて使用されるマルチパック用表示材に関するものである。
【背景技術】
【０００２】
従来より、ビール、ジュース、お茶などの飲料を充填した各種の飲料缶が販売されており、通常これらの飲料缶は店頭や自動販売機で１本ずつ販売されるが、一方では、消費者がまとめ買いをしやすいように、２〜６本程度を缶群としてまとめ包装したいわゆるマルチパックの形態としたものが販売されている。特に、ビールや発泡酒の多くは６本の飲料缶（３５０ｍｌ又は５００ｍｌ）を３本ずつ２列に整列させ、板紙からなる包装材により巻回状態で包装した形態のマルチパック（６缶パック）が広く利用されており、スーパーマーケットやディスカウントストアなどにおいては、このようなマルチパックの販売量が増加している。
【０００３】
この包装材に板紙を用いたマルチパックは、通常は、缶群の上下面と２つの長い方の側面（飲料缶が３本並んだ方の側面）とが包装材で覆われ、２つの短い方の側面（飲料缶が２本並んだ方の側面）が包装材の２つの開口面からそれぞれ露出した状態になっている。そして、包装材のうち下面を除く３つの面（天板、底板及び２つの側板）に宣伝、広告等の情報を印刷を施しているが、販売促進のため、飲料缶が露出した短かい方の側面に対しても、宣伝、広告等の情報を印刷した表示材を取り付けるようにしたものが提案され利用されている。
【特許文献１】実用新案登録第３０７１９７５号公報
【特許文献２】特許第３２０６７５０号公報
【発明の開示】
【発明が解決しようとする課題】
【０００４】
上記したマルチパック用表示材は、マルチパックにおいて飲料缶が露出した開口面に取り付けられるため、陳列用の棚や冷蔵庫に並べる際に、どの向きに並べても宣伝、広告等の情報が見える状態となる。特に、限られたスペースに陳列する場合は、短い方の側面を正面に向けて陳列することが多いが、このような陳列状態でも宣伝や広告の効果を発揮することができる。しかしながら、特別のキャンペーンを行うような場合は、包装材に印刷された情報ではなく、その特別のキャンペーンのための宣伝、広告をなるべく見える状態で多く掲示することが望まれるところ、マルチパックの開口面に表示材を取り付けるだけではキャンペーンの宣伝、広告効果が少ないという問題点がある。
【０００５】
本発明は、このような問題点に鑑みてなされたものであり、その目的とするところは、キャンペーン用として大きな宣伝、広告効果を挙げることができるマルチパック用表示材を提供することにある。
【課題を解決するための手段】
【０００６】
上記の目的を達成するため、本発明に係る第１のマルチパック用表示材は、複数本の飲料缶からなる缶群の上下面と２つの長い方の側面とが包装材で覆われるとともに、２つの短かい方の側面が包装材の２つの開口面からそれぞれ露出した状態となるように、天板、底板及び２つの側板を備えた包装材を用いて缶群を巻回状態で包装してなり、２つの側板の開口面を形成している縁部にそれぞれ包装材が内側に折り返されてなる折返し部を具備したマルチパックに取り付けるマルチパック用表示材であって、１枚の板材からなり、マルチパックの開口面に対応するサイズの短板部とマルチパックの側板に対応するサイズの長板部とが連設し、短板部の端辺には挿入部分とその先の係止部分とが繋がって連設し、長板部の端辺には折曲げ部分が連設していることを特徴としている。
【０００７】
また、上記の目的を達成するため、本発明に係る第２のマルチパック用表示材は、複数本の飲料缶からなる缶群の上下面と２つの長い方の側面とが包装材で覆われるとともに、２つの短かい方の側面が包装材の２つの開口面からそれぞれ露出した状態となるように、天板、底板及び２つの側板を備えた包装材を用いて缶群を巻回状態で包装してなり、２つの側板の開口面を形成している縁部にそれぞれ包装材が内側に折り返されてなる折返し部を具備したマルチパックに取り付けるマルチパック用表示材であって、１枚の板材からなり、マルチパックの開口面に対応するサイズの短板部の両側にマルチパックの側板に対応するサイズの長板部がそれぞれ連設し、一方の長板部の端辺には挿入部分とその先の係止部分とが繋がって連設し、他方の長板部の端辺には折曲げ部分が連設していることを特徴としている。
【０００８】
また、上記の目的を達成するため、本発明に係る第３のマルチパック用表示材は、複数本の飲料缶からなる缶群の上下面と２つの長い方の側面とが包装材で覆われるとともに、２つの短かい方の側面が包装材の２つの開口面からそれぞれ露出した状態となるように、天板、底板及び２つの側板を備えた包装材を用いて缶群を巻回状態で包装してなり、２つの側板の開口面を形成している縁部にそれぞれ包装材が内側に折り返されてなる折返し部を具備したマルチパックに取り付けるマルチパック用表示材であって、１枚の板材からなり、マルチパックの開口面に対応するサイズの第１の短板部とマルチパックの側板に対応するサイズの第１の長板部とが連設し、さらに第１の長板部にはマルチパックの開口面に対応するサイズの第２の短板部とマルチパックの側板に対応するサイズの第２の長板部とが順次連設し、第１の短板部の端辺には挿入部分とその先の係止部分とが繋がって連設し、第２の長板部の端辺には折曲げ部分が連設していることを特徴としている。
【発明の効果】
【０００９】
本発明のマルチパック用表示材は、マルチパックにおける側面の隣接する２面以上に跨がった状態で取り付けられるため、包装材に印刷された以外の宣伝、広告を見える状態で多く掲示することができ、キャンペーン用とした場合に大きな宣伝、広告効果を挙げることができる。また、陳列用の棚や冷蔵庫に陳列する場合に、縦向きでも横向きでもキャンペーン用の宣伝、広告が見える状態になるので、販促効果を挙げることができる。しかも、係止部分を折り曲げた状態で挿入部分を飲料缶と側板の間に差し込んで係止部分を折返し部の先端に引っ掛け、次いでその反対側にある折曲げ部分を別の折返し部の根元に引っ掛けることで簡単に取り付けることができるので、キャンペーン時における表示材の取付作業を迅速に行うことができる。
【００１０】
また、３面、４面に跨がって取り付けられるタイプの表示材は、マルチパックの両側板を覆うようになるので、マルチパックの側面から受ける印象を大きく変化させることができる。特に、４面に跨がって取り付けられるタイプの表示材は、マルチパックの両側板及び両開口面を全て覆うことになり、この場合には、従来開口面から見えていた飲料缶自体を隠すことができるので、新たな宣伝、広告、くじ等の提供が可能である。
【発明を実施するための最良の形態】
【００１１】
次に、本発明に係るマルチパック用表示材の実施の形態について図面を参照しながら詳細に説明する。
【００１２】
図１は本発明のマルチパック用表示材を取り付ける対象となるマルチパックの一例を示す斜視図、図２は本発明に係る第１のマルチパック用表示材の一例を示す平面図、図３は図１のマルチパック用表示材を取り付けたマルチパックの斜視図、図４は図３のＡ−Ａ断面図、図５は図３のＢ−Ｂ断面図である。
【００１３】
図１に示すタイプのマルチパックは、特表平１０−５０３１５８号公報、特開２０００−２８９７７１号公報等に記載の包装材を用いて形成される公知のものであり、このマルチパック自体は新規なものではない。
【００１４】
図１のマルチパックＰは、ビール又は発泡酒を充填した３５０ｍｌの飲料缶Ｃを３本ずつ２列に整列させ、板紙からなる包装材１により巻回状態で包装したものである。すなわち、６本の缶群における上下面と２つの長い方の側面（飲料缶が３本並んだ方の側面）とが包装材１で覆われ、２つの短い方の側面（飲料缶が２本並んだ方の側面）が包装材の２つの開口面からそれぞれ露出した状態になっている。そして、包装材１のうち下面を除く３つの面、すなわち、天板１ａと２つの側板１ｂには、飲料缶Ｃに関する宣伝、広告等の情報が印刷されている。
【００１５】
さらに、このマルチパックＰには、その２つの側板１ｂの開口面を形成している縁部にそれぞれ包装材１が内側に折り返されてなる折返し部２が設けられており、飲料缶Ｃが開口面から外れないように保持するようになっている。また、包装材１における天板１ａの略中心位置には、繋ぎのある略半円形の切れ目３が対向状態で２個設けられており、これらの切れ目３の部分を指で押して繋ぎを破断し、そのまま指を挿入してマルチパックを持ち運びできるようになっている。
【００１６】
図２に示すマルチパック用表示材１０は、キャンペーン用の宣伝、広告を印刷した板紙を打ち抜いて形成されたものであり、図示の如く、マルチパックの開口面に対応するサイズの短板部１１とマルチパックの側板に対応するサイズの長板部１２とが連設し、短板部１１の端辺には幅が狭くなった挿入部分１３とその先の係止部分１４とが繋がって連設し、長板部１２の端辺には折曲げ部分１５が連設した形状になっている。
【００１７】
短板部１１と長板部１２の間には、一対の連続したくの字状の切込みにより帯状のジッパー部１６が形成されており、そのジッパー部１６に隣接して短板部１１には２本の押し罫が平行に形成され、長板部１２には３本の押し罫が平行に形成されていて、ジッパー部１６を含む押し罫の部分が湾曲部１１ａになっている。また、短板部１１の端部は先細形状であって６本の押し罫が平行に形成された湾曲部１１ｂになっており、挿入部分１３はその湾曲部１１ａの先端に繋がった状態になっている。また、長板部１２の端辺に押し罫を介して連設する折曲げ部分１５は、山形の大突起１５ａとその両裾にそれぞれ小突起１５ｂを有した形状になっている。
【００１８】
マルチパック用表示材１０のマルチパックＰへの取付け方は次のようである。まず、短板部１１の端辺に連設した挿入部分１３と係止部分１４をマルチパックＰの飲料缶Ｃと側板１ｂの間に差し込む。この場合、係止部分１４は挿入部分１３に対して折り返した状態とし、係止部分１４の折り返した先端がマルチパックＰの折返し部２の先端よりも奥になるまで差し込んだ後、挿入部分１３を少し引き戻すことにより、係止部分１４をマルチパックＰにおける折返し部２の先端に引っ掛ける。次いで、湾曲部１１ｂ，１１ａの部分を湾曲させつつ短板部１１及び長板部１２をマルチパックＰの外周に沿わせ、長板部１２の端辺に連設した折曲げ部分１５を長板部１２に対して押し罫で折り曲げながら、先の折返し部２の反対側にある折返し部２の根元に引っ掛ける。この時、大突起１５ａを折返し部２の内側に差し込むとともに、小突起１５ｂを折返し部２の上下にある隙間に差し込むようにする。
【００１９】
このようにすることで、図３に示す如く、表示材１０をマルチパックの側面２面に渡って取り付けることができる。そして、取り付けられた表示材１０は、一方では図４に示すように係止部１４が折返し部２に噛み合った状態に、他方では図５に示すように折曲げ部１５が折返し部２と飲料缶Ｃの間に嵌まるとともに上下の小突起１５ｂが折返し部２の内側に挟まった状態になっているので、簡単に外れることがない。なお、消費者に対するアピール効果をさらに高めるため、表示材１０には、景品等が入った袋や箱などを取り付けるようにしてもよい。
【００２０】
表示材１０が付いたマルチパックＰから当該表示材１０を外すに際しては、ジッパー部１６を破断して除去する。これにより表示材１０は短板部１１と長板部１２の分離されるので簡単に取り外すことができる。なお、ジッパー部１６はいずれの湾曲部に設けてもよいし、特に設けなくても構わない。ジッパー部１６を設けないタイプでは、表示材１０の折曲げ部分１５をマルチパックＰの折返し部２から外すことにより簡単に取り外すことができる。
【００２１】
このマルチパック用表示材１０は、５００ｍｌの飲料缶を３本ずつ２列に整列させ、包装材により巻回状態で包装したタイプのマルチパックにも取り付けることができる。この場合、表示材１０は高さのあるマルチパックに対して上下の幅が足らない状態で取り付けられる。したがって、折曲げ部分１５は、その両裾にある小突起１５ｂが折返し部２の上下にある隙間に差し込まれず、大突起１５ａだけが折返し部２の内側に差し込まれた状態になるが、このような取付状態でも簡単には外れることはない。
【００２２】
図６は本発明に係る第２のマルチパック用表示材の一例を示す平面図である。
【００２３】
この図６に示すマルチパック用表示材２０は、先のものと同様、キャンペーン用の宣伝、広告を印刷した板紙を打ち抜いて形成されたものであり、図示の如く、マルチパックの開口面に対応するサイズの短板部２１の両側にマルチパックの側板に対応するサイズの長板部２２，２３がそれぞれ連設し、一方の長板部２２の端辺には幅が狭くなった挿入部分２４とその先の係止部分２５とが繋がって連設し、他方の長板部２３の端辺には折曲げ部分２６が連設した形状になっている。
【００２４】
短板部２１における一方の長板部２２の側は、８本の押し罫が平行に形成された湾曲部２１ａになっている。また、短板部２１と他方の長板部２３の間には、一対の連続したくの字状の切込みにより帯状のジッパー部２７が形成されており、そのジッパー部２７に隣接して短板部２１には２本の押し罫が平行に形成され、長板部２３には３本の押し罫が平行に形成されていて、ジッパー部２７を含む押し罫の部分が湾曲部２１ｂになっている。そして、一方の長板部２２の端辺中央に挿入部分２４が繋がった状態になっている。また、他方の長板部２３の端辺に押し罫を介して連設する折曲げ部分２６は、山形の大突起２６ａとその両裾にそれぞれ小突起２６ｂを有した形状になっている。
【００２５】
マルチパック用表示材２０のマルチパックＰへの取付け方は次のようである。まず、一方の長板部２２の端辺に連設した挿入部分２４と係止部分２５をマルチパックＰの飲料缶Ｃと側板１ｂの間に差し込む。この場合、係止部分１４は挿入部分１３に対して折り返した状態とするが、折り返す向きは先のマルチパック用表示材１０の場合とは逆であり、差し込む側板１ｂも反対側である。そして、係止部分２５の折り返した先端がマルチパックＰの折返し部２の先端よりも奥になるまで差し込んだ後、挿入部分２４を少し引き戻すことにより、係止部分２５をマルチパックＰにおける折返し部２の先端に引っ掛ける。次いで、挿入部分２４と長板部２２の間で表示材２０を折り返し、湾曲部２１ａ、２１ｂの部分を湾曲させつつ長板部２２、短板部２１及び長板部２３をマルチパックＰの外周に沿わせ、長板部２３の端辺に連設した折曲げ部分２６を長板部２３に対して押し罫で折り曲げながら、先の折返し部２の対向側にある折返し部２の根元に引っ掛ける。この時、大突起２６ａを折返し部２の内側に差し込むとともに、小突起２６ｂを折返し部２の上下にある隙間に差し込むようにする。
【００２６】
このようにすることで、表示材２０をマルチパックの側面３面に渡って取り付けることができる（図示せず）。すなわち、第１のタイプのマルチパック用表示材１０がマルチパックＰの側面２面に渡って取り付けられるのに対し、この第２のタイプのマルチパック用表示材２０はマルチパックＰの側面３面に渡って取り付けられる。そして、取り付けられた表示材２０は、一方では係止部２５が折返し部２に噛み合った状態に、他方では折曲げ部２６の大突起２６ａが折返し部２と飲料缶Ｃの間に嵌まるとともに上下の小突起２６ｂが折返し部２の内側に挟まった状態になっているので、簡単に外れることがない。なお、先のマルチパック用表示材１０の場合と同様、消費者に対するアピール効果をさらに高めるため、表示材２０には、景品等が入った袋や箱などを取り付けるようにしてもよい。
【００２７】
表示材２０が付いたマルチパックＰから当該表示材２０を外すに際しては、ジッパー部２７を破断して除去する。これにより表示材２０は短板部２１と他方の長板部１３との間で分離されるので簡単に取り外すことができる。なお、ジッパー部２７を設けないタイプでは、表示材２０の折曲げ部分２６をマルチパックＰの折返し部２から外すことにより簡単に取り外すことができる。
【００２８】
このマルチパック用表示材２０は、５００ｍｌの飲料缶を３本ずつ２列に整列させ、包装材により巻回状態で包装したタイプのマルチパックにも取り付けることができる。この場合、表示材２０は高さのあるマルチパックに対して上下の幅が足らない状態で取り付けられる。したがって、折曲げ部分２６は、その両裾にある小突起２６ｂが折返し部２の上下にある隙間に差し込まれず、大突起２６ａだけが折返し部２の内側に差し込まれた状態になるが、このような取付状態でも簡単には外れることはない。
【００２９】
図７は本発明に係る第３のマルチパック用表示材の一例を示す平面図である。
【００３０】
この図７に示すマルチパック用表示材３０は、先のものと同様、キャンペーン用の宣伝、広告を印刷した板紙を打ち抜いて形成されたものであり、図示の如く、マルチパックの開口面に対応するサイズの第１の短板部３１とマルチパックの側板に対応するサイズの第１の長板部３２とが連設し、さらに第１の長板部３２にはマルチパックの開口面に対応するサイズの第２の短板部３３とマルチパックの側板に対応するサイズの第２の長板部３４とが順次連設し、第１の短板部３１の端辺には挿入部分３５とその先の係止部分３６とが繋がって連設し、第２の長板部３４の端辺には折曲げ部分３７が連設した形状になっている。
【００３１】
第１の短板部３１における第１の長板部３２の側と第２の短板部３３における第１の長板部３２の側は、それぞれ８本の押し罫が平行に形成された湾曲部３１ａ，３３ａになっている。また、第２の短板部３３と第２の長板部３４の間には、一対の連続したくの字状の切込みにより帯状のジッパー部３８が形成されており、そのジッパー部３８に隣接して第２の短板部３３には２本の押し罫が平行に形成され、第２の長板部３４には３本の押し罫が平行に形成されていて、ジッパー部３８を含む押し罫の部分が湾曲部３３ｂになっている。また、第１の短板部３１の端部は先細形状であって６本の押し罫が平行に形成された湾曲部３１ｂになっており、挿入部分３５はその湾曲部３１ａの先端に繋がった状態になっている。また、第２の長板部３４の端辺に押し罫を介して連設する折曲げ部分３７は、山形の大突起３７ａとその両裾にそれぞれ小突起３７ｂを有した形状になっている。
【００３２】
マルチパック用表示材３０のマルチパックＰへの取付け方は次のようである。まず、第１の短板部３１の端辺に連設した挿入部分３５と係止部分３６をマルチパックＰの飲料缶Ｃと側板１ｂの間に差し込む。この場合、係止部分３６は挿入部分３５に対して折り返した状態とする。折り返す向きは先のマルチパック用表示材１０の場合と同じであり、差し込む側板１ｂも同じ側である。そして、係止部分３６の折り返した先端がマルチパックＰの折返し部２の先端よりも奥になるまで差し込んだ後、挿入部分３５を少し引き戻すことにより、係止部分３６をマルチパックＰにおける折返し部２の先端に引っ掛ける。次いで、湾曲部３１ｂ，３１ａ，３３ａ，３３ｂの部分を湾曲させつつ第１の短板部３１、第１の長板部３２、第２の短板部３３、第２の長板部３４をマルチパックＰの外周に沿わせ、第２の長板部３４の端辺に連設した折曲げ部分３７を第２の長板部３４に対して押し罫で折り曲げながら、先の折返し部２と同じ折返し部２の根元に引っ掛ける。この時、大突起３７ａを折返し部２の内側に差し込むとともに、小突起３７ｂを折返し部２の上下にある隙間に差し込むようにする。
【００３３】
このようにすることで、表示材３０をマルチパックの側面４面に渡って取り付けることができる（図示せず）。すなわち、第１のタイプのマルチパック用表示材１０がマルチパックＰの側面２面に渡って取り付けられ、第２のタイプのマルチパック用表示材２０がマルチパックＰの側面３面に渡って取り付けられるのに対し、この第３のタイプのマルチパック用表示材３０はマルチパックＰの側面４面に渡って取り付けられる。そして、取り付けられた表示材３０は、係止部３６が折返し部２に噛み合った状態になるとともに、折曲げ部３７の大突起３７ａが折返し部２と飲料缶Ｃの間に嵌まるとともに上下の小突起３７ｂが折返し部２の内側に挟まった状態になっているので、簡単に外れることがない。なお、先のマルチパック用表示材１０，２０の場合と同様、消費者に対するアピール効果をさらに高めるため、表示材３０には、景品等が入った袋や箱などを取り付けるようにしてもよい。
【００３４】
表示材３０が付いたマルチパックＰから当該表示材３０を外すに際しては、ジッパー部３８を破断して除去する。これにより表示材３０は第２の短板部３３と第２の長板部３４との間で分離されるので簡単に取り外すことができる。なお、ジッパー部３８はいずれの湾曲部に設けてもよいし、特に設けなくても構わない。ジッパー部３８を設けないタイプでは、表示材３０の折曲げ部分３７をマルチパックＰの折返し部２から外すことにより簡単に取り外すことができる。
【００３５】
このマルチパック用表示材３０は、５００ｍｌの飲料缶を３本ずつ２列に整列させ、包装材により巻回状態で包装したタイプのマルチパックにも取り付けることができる。この場合、表示材３０は高さのあるマルチパックに対して上下の幅が足らない状態で取り付けられる。したがって、折曲げ部分３７は、その両裾にある小突起３７ｂが折返し部２の上下にある隙間に差し込まれず、大突起３７ａだけが折返し部２の内側に差し込まれた状態になるが、このような取付状態でも簡単には外れることはない。
【００３６】
以上、本発明の実施の形態について説明してきたが、本発明によるマルチパック用表示材は、上記実施の形態に何ら限定されるものではなく、本発明の趣旨を逸脱しない範囲において種々の変更が可能であることは言うまでもないことである。
【００３７】
例えば、本発明のマルチパック用表示材は、板紙製であることが望ましく、通常はマルチパックと同様の板紙が使用されるが、板紙以外にもプラスチックシート、金属板等により構成されていても構わない。
【図面の簡単な説明】
【００３８】
【図１】本発明のマルチパック用表示材を取り付ける対象となるマルチパックの一例を示す斜視図である。
【図２】本発明に係る第１のマルチパック用表示材の一例を示す平面図である。
【図３】図１のマルチパック用表示材を取り付けたマルチパックの斜視図である。
【図４】図３のＡ−Ａ断面図である。
【図５】図３のＢ−Ｂ断面図である。
【図６】本発明に係る第２のマルチパック用表示材の一例を示す平面図である。
【図７】本発明に係る第３のマルチパック用表示材の一例を示す平面図である。
【符号の説明】
【００３９】
Ｃ  飲料缶
Ｐ  マルチパック
１  包装材
１ａ  天板
１ｂ  側板
２  折返し部
３  切れ目
１０  マルチパック用表示材
１１  短板部
１１ａ，１１ｂ  湾曲部
１２  長板部
１３  挿入部分
１４  係止部分
１５  折曲げ部分
１５ａ  大突起
１５ｂ  小突起
１６  ジッパー部
２０  マルチパック用表示材
２１  短板部
２１ａ，２１ｂ  湾曲部
２２，２３  長板部
２４  挿入部分
２５  係止部分
２６  折曲げ部分
２６ａ  大突起
２６ｂ  小突起
２７  ジッパー部
３０  マルチパック表示材
３１  第１の短板部
３１ａ  湾曲部
３２  第１の長板部
３３  第２の短板部
３３ａ，３３ｂ  湾曲部
３４  第２の長板部
３５  挿入部分
３６  係止部分
３７  折曲げ部分
３７ａ  大突起
３７ｂ  小突起
３８  ジッパー部
【図１】
2006273356.tif 000003
【図２】
2006273356.tif 000004
【図３】
2006273356.tif 000005
【図４】
2006273356.tif 000006
【図５】
2006273356.tif 000007
【図６】
2006273356.tif 000008
【図７】
2006273356.tif 000009